(57)【要約】【課題】ウォーキングと運動器具を用いた運動との運動量の集計を低コストで行う。【解決手段】歩行運動を検出する運動検出部１０を備えるとともに、運動検出部で検出された歩行時の歩数をカウントして運動量を算出する演算手段１２及び運動量を表示する表示部１３とを備えている歩数計１と、負荷手段２０を備えている運動器具２とからなる。歩数計１が装着される装着部４０を備えた運動器具２は、歩数計１側の運動検出部１０を作動させる運動伝達部２１を備える。歩数計１側の運動検出部１０や演算部１２及び表示部１３を利用して運動器具２側の運動の検出及び運動量の算出表示を行う。【選択図】　図１
2004016528.tif 000002
【特許請求の範囲】
【請求項１】
歩行運動を検出する運動検出部を備えるとともに、運動検出部で検出された歩行時の歩数をカウントして運動量を算出する演算手段及び運動量を表示する表示部とを備えている歩数計と、負荷手段を備えている運動器具とからなり、歩数計が装着される装着部を備えた上記運動器具は、歩数計側の運動検出部を作動させる運動伝達部を備えていることを特徴とする歩数計設置型運動器具。
【請求項２】
運動検出部が磁気感応部材であり、運動伝達部が磁石であることを特徴とする請求項１記載の歩数計設置型運動器具。
【発明の詳細な説明】
【０００１】
【発明の属する技術分野】
本発明は携帯型の歩数計を活用した歩数計設置型運動器具に関するものである。
【０００２】
【従来の技術】
運動不足の解消や肥満の解消や健康増進のために、ウォーキングや運動器具を使った有酸素運動で１日の摂取カロリーの過多分を消費し、摂取カロリーと消費カロリーの収支を合わせることが行われているが、この際、消費カロリーの計算にはウォーキングについては歩数計を、運動器具を使った分については運動器具側で計算することになる。このように個々に消費カロリーを計算していたのでは、使用者が消費カロリーを集計しなくてはならない。
【０００３】
このために特開２００１−２９９７３２公報には運動器具を親機とし、歩数計を子機として両者を通信手段を介して接続することで１日の消費カロリーを集計することができるようにしたものが開示されており、また、特開２００１−３１４３７５公報にも互いに通信可能な携帯型活動記録計とトレーニング機器とを組み合わせたものが開示されている。
【０００４】
【発明が解決しようとする課題】
しかし、上記のものでは、運動器具と歩数計（携帯型活動記録計）の双方に表示手段や通信手段が必要となっており、コスト的に問題が多い。特に通信上でのトラブルを避けるには、信頼性の高い通信機能が必要となり、この点で特に問題が多い。
【０００５】
本発明はこのような点に鑑みなされたものであって、その目的とするところはウォーキングと運動器具を用いた運動との運動量の集計を低コストで行うことができる歩数計設置型運動器具を提供するにある。
【０００６】
【課題を解決するための手段】
しかして本発明は、歩行運動を検出する運動検出部を備えるとともに、運動検出部で検出された歩行時の歩数をカウントして運動量を算出する演算手段及び運動量を表示する表示部とを備えている歩数計と、負荷手段を備えている運動器具とからなり、歩数計が装着される装着部を備えた上記運動器具は、歩数計側の運動検出部を作動させる運動伝達部を備えていることに特徴を有している。
【０００７】
歩数計側の運動検出部や演算部及び表示部を利用して運動器具側の運動の検出及び運動量の算出表示を行うようにしたものである。
【０００８】
上記運動検出部には磁気感応部材を、運動伝達部には磁石を好適に用いることができる。
【０００９】
【発明の実施の形態】
以下本発明を実施の形態の一例に基づいて詳述すると、本発明に係る歩数計設置型運動器具は、図１に示すように、歩数計１と運動器具２とで構成されるものであるが、運動量（消費カロリー）の表示部のための表示部１３は歩数計１側にだけ設けられており、また運動量計測のための計測手段（ここではリードスイッチ１０）や計測結果に基づいて運動量を算出する演算手段（以下ＭＰＵ）１２も歩数計１側にだけ設けられている。
【００１０】
図２及び図３はここで用いる歩数計１の一例を示しており、本体部１ａと蓋１ｂそして装着用のクリップ１ｃ（図５参照）とを備えた歩数計１の本体部１ａには、操作スイッチ１４（表示切換や体重入力用やリセット用や時計調整用などのスイッチ１４ａ，１４ｂ，１４ｃ，１４ｄ）と液晶ディスプレーで形成された表示部１３が設けられており、さらに本体部１内には歩行時の振動によって揺動する振り子１７と、振り子１７に設けた磁石１１に感応するリードスイッチ１０と、振動に対する振り子１７の動きを振り子１７の付勢用のばね（図示せず）のばね力調整で変更する調整ダイアル１８とが設けられている。
【００１１】
この歩数計１は、ウォーキング時、上記クリップ１ｃを利用して腰のベルトなどに装着しておけば、歩行振動によって揺動する振り子１７の磁石１１の動きに応じてリードスイッチ１０がオンオフされるものであり、このオンオフによって歩数をカウントするとともに、予め入力された体重なども勘案して上記ＭＰＵ１２が運動量（消費カロリー）を演算する。
【００１２】
一方、図４〜図６に示す運動器具２は、自転車エルゴメータと呼ばれているもので、その筐体２５内にはペダル２７が装着されたクランク２６によって回転するプーリ３０と、プーリ３０の回転がベルト３１及び従動プーリ３２を介して伝達される負荷手段２０とが配設されている。図中２８は脚部、、２９は負荷調節ダイアルである。なお、この運動器具２は、別途椅子に座った使用者が前方に投げ出した脚でクランク２６を回すことで自転車漕ぎ運動を行うものである。
【００１３】
また、この運動器具２には上記歩数計１をセットすることができる装着部４０が設けられている。カバー４１で覆うことができる装着部４０には、蓋１ｂを開いた状態の歩数計１をセットするものであり、このようにセットした時、歩数計１の本体部１ａの背後の空間を上記プーリ３０に取り付けた磁石２１が通るようにしてある。
【００１４】
つまり、装着部４０に歩数計１をセットしてクランク２６を回せば、プーリ３０の回転につれて磁石２１が歩数計１内のリードスイッチ１０をオンオフさせるために、運動器具２を用いた運動の運動量も歩数計１側で計測表示することができるものであり、このためにウォーキング時の運動量と運動器具を用いた運動の運動量との集計が自動的になされることになる。
【００１５】
なお、リードスイッチ１０の歩行時における１回当たりのオンオフ時の運動量と、運動器具２側の磁石２１によるところのリードスイッチ１０の１回当たりのオンオフ時の運動量とは異なることから、歩数計１を運動器具２にセットする時、操作スイッチ１４で計測モードの切換を行う。この点に関しては、上記装着部４０に歩数計１をセットすれば計測モードの切換を行う手段を設けておくことが好ましい。また、歩数計１側に消費カロリー換算の運動量の演算表示にあたり、入力された使用者の体重、体脂肪率、年齢、性別、運動器具２側の負荷調節ダイアル２９の調節位置などを勘案して演算表示するものであることが望ましい。
【００１６】
また、図示例ではクランク２６と一体に回転するプーリ３０に磁石２１を設けているが、磁石２１として電磁石を用いるとともに、たとえば負荷手段２０の１回転毎に磁石２１が励磁されるようにしておくならば、上記装着部４０はその場所を問わずに任意の位置に、殊に表示部１３を見やすい位置に配置することができる。また、運動器具２の形態も自転車エルゴメータのタイプに限らず、どのような運動器具２にも問題なく適用することができるものとなる。特に負荷手段２０の設定負荷に応じて電磁石である磁石２１の励磁回数を調節する制御部２２を備えたものとすれば、歩数計１側のリードスイッチ１０を利用するにもかかわらず、運動量の算出をより的確に行うことができるものとなる。
【００１７】
さらには磁石１１，２１とリードスイッチ１０とを利用したものを示したが、運動器具２が装着部４０に装着された歩数計１に振動を与えて振り子１７を作動させるようにしたものであってもよい。
【００１８】
【発明の効果】
以上のように本発明においては、歩行運動を検出する運動検出部を備えるとともに、運動検出部で検出された歩行時の歩数をカウントして運動量を算出する演算手段及び運動量を表示する表示部とを備えている歩数計と、負荷手段を備えている運動器具とからなり、歩数計が装着される装着部を備えた上記運動器具は、歩数計側の運動検出部を作動させる運動伝達部を備えているために、歩数計側の運動検出部や演算部及び表示部を利用して運動器具側の運動の検出及び運動量の算出表示を行うことができるものであり、このためにウォーキング時の運動量と運動器具を用いた運動時の運動量との集計が歩数計側で自動的になされることになり、１日の消費カロリー（運動量）を簡単に且つ低コストで知ることができる。
【００１９】
そして、上記運動検出部に磁気感応部材を、運動伝達部に磁石を用いると、コストの点できわめて有利となる。
【図面の簡単な説明】
【図１】本発明の実施の形態の一例のブロック回路図である。
【図２】同上の歩数計の蓋を開いた状態の正面図である。
【図３】同上の歩数計の内部の運動検出部の構成を示す概略図である。
【図４】同上の運動器具の斜視図である。
【図５】同上の運動器具の縦断面図である。
【図６】同上の運動器具の横断面図である。
【符号の説明】
１　歩数計
２　運動器具
１０　運動検出部（リードスイッチ）
１２　演算手段
１３　表示部
２０　負荷手段
２１　運動伝達部（磁石）
【図１】
2004016528.tif 000003
【図２】
2004016528.tif 000004
【図３】
2004016528.tif 000005
【図４】
2004016528.tif 000006
【図５】
2004016528.tif 000007
【図６】
2004016528.tif 000008